(57)【要約】【課題】  音響空間の伝送特性が時間的に変化しても音響空間内の音響を聴き心地の良い音響に調音する技術的手段を提供する。【解決手段】  音響構造体１の筐体１０の内側には、帯部２０、ローラ５４、帯受け部５８、中板３１〜３４およびモータ５２が収容されている。帯部２０は、全体として連続した環状をなす可撓性の帯である。帯部２０は、その内側に挿入されたローラ５４および帯受け部５８によって張設されている。帯部２０の一部は、筐体１０の開口部によって外部に露出している。帯部２０の内側の空間は、中板３１〜３４によって区切られ、複数の音響体３０が形成されている。帯部２０には、各音響体３０に対応する開口部２２が設けられている。モータ５２は、ローラ５４を回転させて、帯部２０を回転させる。帯部２０の回転により、各開口部２２は、同一方向に連動する。【選択図】図１
2016071220.tif 000002
【特許請求の範囲】
【請求項１】
複数の長尺状の音響体を有し、
前記各音響体は、内包する空洞を外部に連通させる開口部を有し、各々の前記開口部の開口方向を揃えて各々の長手方向に垂直な方向に並んでおり、
前記開口部は、音響体毎にその長手方向の異なる位置において開口しており、
前記各音響体の各々の前記開口部を連動可能にしたことを特徴とする音響構造体。
【請求項２】
全体として連続した環状をなす可撓性の帯であり、複数の開口部を有する帯部を有し、
前記帯部の内側の空間を区切ることによって前記帯部を前記開口方向の側壁とする前記各音響体を形成し、
前記帯部の開口部は、周方向に繰り返されており、
前記帯部は、前記帯部内の区切られた各空間を維持しつつ周方向に回転可能であることを特徴とする請求項１に記載の音響構造体。
【請求項３】
前記各音響体は、
側面に開口部が設けられた第１の筒状部材と、
側面に開口部が設けられ、前記第１の筒状部材の内部に収容される第２の筒状部材と、を有し、
前記第１の筒状部材の各々は、前記第１の筒状部材の開口部と前記第２の筒状部材の開口部の重複部位の開口方向を揃えて各々の長手方向に垂直な方向に並んでおり、
前記音響構造体は、前記第２の筒状部材をその周方向に回転させる駆動手段を有し、
前記駆動手段は、前記第２の筒状部材の各々を連携して回転させることを特徴とする請求項１に記載の音響構造体。
【請求項４】
前記第１の筒状部材の開口部は、前記第１の筒状部材の長手方向に沿ったスリットであり、
前記第２の筒状部材の開口部の形状は、前記第２の筒状部材の長手方向を振幅方向とし、前記第２の筒状部材の周方向を進行方向とする波形状であることを特徴とする請求項３に記載の音響構造体。
【発明の詳細な説明】
【技術分野】
【０００１】
この発明は、音響空間における音響障害を防止し、音響空間内の音響を聴き心地の良い音響に調音する音響構造体に関する。
【背景技術】
【０００２】
この種の音響構造体として、複数の音響体（例えば複数の音響管）からなるものがある。この音響構造体の複数の音響体の各々には、当該音響体が内包する空洞を外部に連通させる開口部が設けられている。複数の音響体は、各々の開口部が同一方向になるように並べられている。この音響構造体は、開口部を音響空間（例えば会議室）の中央側に向けて壁面などに取り付けられる。この種の音響構造体は、例えば、特許文献１に開示されている。
【先行技術文献】
【特許文献】
【０００３】
【特許文献１】特開２０１０−８４５０９号公報
【特許文献２】特開２０１１−２４１５８３号公報
【発明の概要】
【発明が解決しようとする課題】
【０００４】
このような音響構造体では、当該音響構造体の開口部の近傍において所定周波数の音の散乱効果および吸音効果が発生する。音響空間において音響特性のピークやディップの原因となる音が常に音響構造体の開口部の近傍に到達すれば、そのピークやディップの原因となる音の散乱や吸音が行われ、音響空間の音響特性は改善される。
【０００５】
しかし、音響空間内の人や物体がその位置や姿勢を変化させると、その変化に応じて音響空間の伝送特性が変化する。このため、ある時刻（例えば音響構造体の設置時）において、音響特性のピークやディップの原因となる音が音響構造体の開口部近傍に到達したとしても、別のある時刻（例えば音響構造体の設置時からしばらくした後の時刻）には、そのような音が音響構造体の開口部の近傍から離れた位置に到達する、ということが起こり得る。
【０００６】
この発明は以上のような事情に鑑みてなされたものであり、音響空間の伝送特性が時間的に変化しても音響空間内の音響を聴き心地の良い音響に調音する技術的手段を提供することを目的としている。
【課題を解決するための手段】
【０００７】
この発明は、複数の長尺状の音響体を有し、前記各音響体は、内包する空洞を外部に連通させる開口部を有し、各々の前記開口部の開口方向を揃えて各々の長手方向に垂直な方向に並んでおり、前記開口部は、音響体毎にその長手方向の異なる位置において開口しており、前記各音響体の各々の前記開口部を連動可能にしたことを特徴とする音響構造体を提供する。
【０００８】
この発明によれば、各音響体の各開口部は連動する。このため、開口部を移動すると、ある音響体における開口部は、別の音響体における移動前の開口部の位置に近づく。これは、所定周波数の音の散乱および吸音を行う音響体が、当該別の音響体から当該ある音響体にシフトするのと同様のことである。このため、本音響構造体では、個々の音響体においては開口部の移動によって散乱および吸音する音の周波数が変化するが、開口部の移動の前後において、本音響構造体全体としての散乱および吸音する音の周波数分布をほとんど変化させずに、本音響構造体の開口側の面における所定周波数の音の散乱および吸音が行われる位置を変化させる。このため、音響空間の伝送特性が時間的に変化した別のある時刻（例えば音響構造体の設置時からしばらくした後の時刻）においても、各開口部を連動させることで、音響特性のピークやディップの原因となる音が到達する位置に開口部を移動させて音響特性を改善することができる。従って、本音響構造体では、各開口部における散乱効果および吸音効果の有効度合い（換言すると、音響特性のピークやディップの改善度合い）を時間平均すると、従来の音響構造体に比べ、それらの有効度合いを高くすることができる。さらに、本音響構造体では、各開口部における散乱効果および吸音効果の有効度合いを複数の音響体で集合平均すると、従来の音響構造体に比べ、それらの有効度合いを高くすることができる。このように、本音響構造体は、音響空間の伝送特性が時間的に変化しても、従来の音響構造体に比べ、音響空間内の音響をより聴き心地の良い音響に調音することができる。
【０００９】
特許文献２には、開口部の位置を変化するように構成した音響構造体が開示されている。しかし、特許文献２の音響構造体には、開口部の位置を変化する際に、各音響体の各々の開口部を連動する、という思想はない。そして、特許文献２の音響構造体には、散乱効果および吸音効果を時間平均および集合平均した際にそれらの効果がより大きくなるようにする、という思想はない。従って、本音響構造体は、特許文献２の音響構造体とは全く異なるものである。
【図面の簡単な説明】
【００１０】
【図１】この発明の第１実施形態である音響構造体１の構成を示す正面図である。
【図２】図１のＡ−Ａ´線に沿って同音響構造体１を切断して同音響構造体１の内部の構成を示す斜視図である。
【図３】同音響構造体１の筐体１０を透かして帯部２０の構成を示す透視斜視図である。
【図４】同音響構造体１の帯部２０の構成を示す展開図である。
【図５】同音響構造体１のローラ５４を回転させて開口部２２を移動したときの帯部２０の正面図である。
【図６】同音響構造体１の開口部２２を移動したときの音響体３０−１の構成を示す縦断面図である。
【図７】この発明の第２実施形態である音響構造体１Ａの構成を示す斜視図である。
【図８】図７のＣ−Ｃ´線に沿って同音響構造体１Ａを切断して同音響構造体１Ａの内部の構成を示す断面図である。
【図９】同音響構造体１Ａの筐体１０Ａを透かして帯部２０Ａの構成を示す透視斜視図である。
【図１０】同音響構造体１Ａの帯部２０Ａの構成を示す展開図である。
【図１１】同音響構造体１Ａのローラ５４Ａを回転させて開口部２２Ａを移動したときの帯部２０Ａの正面図である。
【図１２】同音響構造体１Ａの開口部２２Ａを移動したときの音響体３０Ａ−１の構成を示す縦断面図である。
【図１３】この発明の第３実施形態である音響構造体１Ｂの構成を示す斜視図である。
【図１４】同音響構造体１Ｂの音響体３０Ｂの外側円筒体３５Ｂおよび内側円筒体３６Ｂの構成を示す展開図である。
【図１５】同音響構造体１Ｂの開口部２２Ｂの形成される位置を内側円筒体３６Ｂの展開図上に示した図である。
【図１６】この発明の第４実施形態である音響システム１００の構成を示す図である。
【図１７】この発明の変形例（１）の音響構造体１Ｄの内側円筒体３６Ｄの構成を示す展開図である。
【図１８】この発明の変形例（２）の音響構造体１Ｅの内側円筒体３６Ｅの構成を示す展開図である。
【図１９】この発明の変形例（３）の音響構造体１Ｆの内側円筒体３６Ｆの構成を示す展開図である。
【図２０】この発明の変形例（４）の音響システム１００Ｇの構成を示す図である。
【発明を実施するための形態】
【００１１】
以下、図面を参照し、この発明の実施形態について説明する。
＜第１実施形態＞
図１は、この発明の第１実施形態による音響構造体１の構成を示す正面図である。図２は、図１のＡ−Ａ´線に沿って音響構造体１を切断して音響構造体１の内部の構成を示す斜視図である。音響構造体１は、筐体１０、帯部２０、ローラ５４、帯受け部５８、中板３１〜３４およびモータ５２を有している。
【００１２】
筐体１０は、中空の箱状の部材である。筐体１０は、その内側の空間に帯部２０、ローラ５４、帯受け部５８、中板３１〜３４およびモータ５２を収容している。
【００１３】
帯部２０は、全体として連続した環状をなす可撓性の帯である。この帯部２０の内側には、ローラ５４および帯受け部５８が挿入されている。ローラ５４は、円柱状の部材である。ローラ５４は、その円形断面の中心を通る軸部５６を有する。ローラ５４は、軸部５６を回転の中心にして回動自在に支持されている。ローラ５４の側面は、帯部２０の内側の面に接している。帯受け部５８は、断面が半円の柱状の部材である。帯受け部５８の円弧側の側面は、帯部２０の内側の面に接している。そして、帯部２０は、ローラ５４および帯受け部５８によってそれらの間に張設されている。
【００１４】
筐体１０は、筐体１０の内側に収容された帯部２０を筐体１０の外部の空間に露出させる開口部を有する。この筐体１０の開口部は、当該開口部の開口面が帯部２０の張設された面に平行になるように開口している。そして、筐体１０は、帯部２０の張設された一方の面をこの開口部によって筐体１０の外部の空間に露出させる一方、同他方の面を筐体１０の外部の空間に露出させないようにしている。本実施形態では、この筐体１０の開口部が開口している面を正面と呼び、この正面に対向する面を背面と呼ぶ。
【００１５】
ローラ５４および帯受け部５８によって張設された帯部２０の内側の空間は、中板３１〜３４により区切られている。中板３１〜３４は、各々、長方形の板である。中板３１は、帯部２０の内側の空間における筐体１０の背面側に配置されている。中板３１は、帯部２０の張設された面に平行な姿勢で配置されている。中板３２および３３は、中板３１よりも正面側に配置されている。中板３２は、中板３１におけるローラ５４側の端部に固定されている。中板３３は、中板３１における帯受け部５８側の端部に固定されている。中板３２と中板３３とは、互いに対向している。中板３２と中板３３との間には、複数の中板３４が中板３１〜３３の各々に垂直に設けられている。そして、中板３２〜３４は、帯部２０の内側の面に接している。このようにして帯部２０の内側の空間が区切られることにより、空洞４０（図１および図２では、空洞４０−ｍ（ｍ＝１〜４））を内包する長尺状の音響体３０（図１および図２では、音響体３０−ｍ（ｍ＝１〜４））が複数形成される。各音響体３０は、音響体３０の長さ方向（長手方向）に垂直な方向に並べられている。本実施形態では、音響体３０の長さ方向に沿って音響体３０からローラ５４に向かう方向を上方向（あるいは上側）と呼び、音響体３０の長さ方向に沿って音響体３０から帯受け部５８に向かう方向を下方向（あるいは下側）と呼ぶ。
【００１６】
帯部２０には、その表裏を貫通する開口部２２（図１および２では、開口部２２−ｍ（ｍ＝１〜４））が設けられている。この開口部２２は、１の音響体３０に対して１の開口部２２が備えられるように設けられている。開口部２２は、音響体３０が内包する空洞４０を外部に連通させる。これにより、音響体３０には、開口部２２を開口端とし上側の中板３２を閉口端とする共鳴管（以下、上側共鳴管という）と、開口部２２を開口端とし下側の中板３３を閉口端とする共鳴管（以下、下側共鳴管という）とが形成される。上側共鳴管は、当該上側共鳴管の管長（すなわち、中板３２から開口部２２までの長さ）に応じた共鳴周波数を有し、下側共鳴管は、当該下側共鳴管の管長（すなわち、中板３３から開口部２２までの長さ）に応じた共鳴周波数を有する。このため、音響体３０は、音響体３０に向かって放射される音のうちの上側共鳴管の共鳴周波数の音と下側共鳴管の共鳴周波数の音とを開口部２２の近傍において散乱および吸音させる。従って、音響空間における音響特性のピークやディップの原因となる音が音響構造体１の開口部２２の近傍に到達するようにすれば、そのような音の散乱や吸音が行われ、音響空間の音響特性はピークやディップの少ない音響特性に改善される。
【００１７】
開口部２２は、音響体３０毎にその長手方向の異なる位置において開口するように設けられている。すなわち、開口部２２は、音響体３０毎に各共鳴管の管長、すなわち、中板３２から開口部２２までの長さおよび中板３３から開口部２２までの長さが異なるように設けられている。このため、音響体３０毎の共鳴周波数は異なる。より具体的には、開口部２２は、音響構造体１が複数の共鳴周波数を低い共鳴周波数から高い共鳴周波数に亙ってバランス良く有するように設けられている。これにより、音響構造体１は、当該音響構造体１全体として広帯域において散乱効果および吸音効果を発揮する。
【００１８】
モータ５２は、例えば、ステッピングモータなどである。モータ５２の回転子はローラ５４の軸部５６に連結されている。モータ５２は、電源（図示略）から与えられる電力によって回転子を回転させることでローラ５４を回転させる。ローラ５４が回転すると、帯部２０がその周方向に回転する。帯部２０が回転すると、帯部２０に設けられている各開口部２２が同一方向に連動する。すなわち、モータ５２は、各開口部２２を連動させる駆動手段であり、各開口部２２の位置を時々刻々と変化させる。
【００１９】
図３は、筐体１０を透かして帯部２０の構成を示す透視斜視図である。また、図４は、帯部２０の展開図である。図４のＢ−Ｂ´線（一点鎖線）は、帯部２０の長辺の垂直２等分線である。図４に示すように、Ｂ−Ｂ´線の上半分の帯部２０１における各開口部２２−１〜２２−４とＢ−Ｂ´線の下半分の帯部２０２における各開口部２２−１〜２２−４とは、同じ位置に設けられている。すなわち、開口部２２は、帯部２０の長辺に沿った方向に同じパターンで繰り返されている。図３に示すように、上半分の帯部２０１が正面側に位置した状態では、下半分の帯部２０２が背面側に位置する。一方、帯部２０が帯部２０の周方向（長辺に沿った方向）に移動して下半分の帯部２０２が正面側に位置した状態では、上半分の帯部２０２が背面側に位置する。そして、図１に示すように、正面側に位置する開口部２２が音響構造体１の外部の空間に開口し、背面側に位置する開口部２２が音響構造体１の内部に隠れる。このように、各開口部２２の開口方向は揃っている。
【００２０】
本実施形態では、ローラ５４は、音響体３０に垂直に配置されている。このため、帯部２０は、ローラ５４の回転に応じて音響体３０の長さ方向に回転移動する。その結果、開口部２２は、ローラ５４の回転に応じて音響体３０の長さ方向に移動する。
【００２１】
図５は、ローラ５４を回転させて開口部２２を移動したときの帯部２０の正面図である。図５では、帯部２０における各音響体３０に対応する部分を破線により区分している。図５（Ａ）は、図１と同じ状態を示している。図５（Ｂ）は、図５（Ａ）に示す状態の帯部２０を音響体３０の管長の約半分の距離だけ上方向に移動させた状態を示している。具体的には、図５（Ａ）において音響体３０−１における中板３３近傍に位置していた開口部２２−１は、図５（Ｂ）においては、音響体３０−１における中央近傍に移動している。開口部２２−３および開口部２２−４も開口部２２−１の移動量と同じ量だけ上方向に移動している。また、図５（Ａ）に示す開口部２２−２は、上方向に移動して正面から見えなくなるとともに、図５（Ｂ）に示すように、背面に隠れていた開口部２２−２が下側から正面に現れる。図５（Ｃ）は、図５（Ｂ）に示す状態の帯部２０を音響体３０の管長の約半分の距離だけさらに上方向に移動させた状態を示している。具体的には、図５（Ｂ）において、音響体３０−１における中央近傍に位置していた開口部２２−１は、図５（Ｃ）においては、音響体３０−１における中板３２近傍に移動している。開口部２２−２も開口部２２−１の移動量と同じ量だけ上方向に移動している。また、図５（Ｂ）に示す開口部２２−３および２２−４は、上方向に移動して正面から見えなくなるとともに、図５（Ｃ）に示すように、背面に隠れていた開口部２２−３および２２−４が下側から正面に現れる。帯部２０を図５（Ｃ）の状態からさらに上方向に移動させると、図５（Ｃ）に示す開口部２２−１は、上方向に移動して正面から見えなくなるとともに背面に隠れていた開口部２２−１が下側から正面に現れて、各開口部２２は、図５（Ａ）に示す状態に戻る。
【００２２】
開口部２２が音響体３０の長さ方向に移動するため、開口部２２の移動に応じて共鳴管の管長が変化して共鳴周波数が変化する。音響体３０−１に着目してより詳細に説明する。図６は、帯部２０が図５の各状態のときの音響体３０−１の構成を示す縦断面図である。図６（Ａ）は、図５（Ａ）のときを示しており、図６（Ｂ）は、図５（Ｂ）のときを示しており、図６（Ｃ）は、図５（Ｃ）のときを示している。図６（Ａ）に示す音響体３０−１には、管長Ｌ１ｕ−ａを有する上側共鳴管と管長Ｌ１ｄ−ａを有する下側共鳴管とが形成される。この状態の音響体３０−１は、管長Ｌ１ｕ−ａに応じた共鳴周波数ｆ１ｕ−ａの音と管長Ｌ１ｄ−ａに応じた共鳴周波数ｆ１ｄ−ａの音に対して散乱効果および吸音効果を発揮する。図６（Ｂ）に示す音響体３０−１には、管長Ｌ１ｕ−ｂを有する上側共鳴管と管長Ｌ１ｄ−ｂを有する下側共鳴管とが形成される。この状態の音響体３０−１は、管長Ｌ１ｕ−ｂに応じた共鳴周波数ｆ１ｕ−ｂの音と管長Ｌ１ｄ−ｂに応じた共鳴周波数ｆ１ｄ−ｂの音に対して散乱効果および吸音効果を発揮する。より詳細には、管長Ｌ１ｕ−ｂは、管長Ｌ１ｕ−ａよりも短いため、共鳴周波数ｆ１ｕ−ｂは、共鳴周波数ｆ１ｄ−ａよりも高くなる一方、管長Ｌ１ｄ−ｂは、管長Ｌ１ｄ−ａよりも長いため、共鳴周波数ｆ１ｕ−ｂは、共鳴周波数ｆ１ｄ−ａよりも低くなる。図６（Ｃ）に示す音響体３０−１には、管長Ｌ１ｕ−ｃを有する上側共鳴管と管長Ｌ１ｄ−ｃを有する下側共鳴管とが形成される。この状態の音響体３０−１は、管長Ｌ１ｕ−ｃに応じた共鳴周波数ｆ１ｕ−ｃの音と管長Ｌ１ｄ−ｃに応じた共鳴周波数ｆ１ｄ−ｃの音に対して散乱効果および吸音効果を発揮する。より詳細には、管長Ｌ１ｕ−ｃは、管長Ｌ１ｕ−ｂよりも短いため、共鳴周波数ｆ１ｕ−ｃは、共鳴周波数ｆ１ｄ−ｂよりも高くなる一方、管長Ｌ１ｄ−ｃは、管長Ｌ１ｄ−ｂよりも長いため、共鳴周波数ｆ１ｕ−ｃは、共鳴周波数ｆ１ｄ−ｂよりも低くなる。このように、音響体３０−１は、開口部２２−１の位置に応じた共鳴周波数において散乱効果および吸音効果を発揮する。音響体３０−１について説明したが、他の音響体３０−２〜３０−４についても同様である。
【００２３】
また、散乱効果および吸音効果は開口部２２の近傍において生じるため、開口部２２の移動に応じて散乱効果および吸音効果の生じる位置が音響体３０の長さ方向に変化する。例えば、図５（Ａ）および図６（Ａ）の音響体３０−１では、中板３３寄りの位置において散乱効果および吸音効果が生じ、図５（Ｂ）および図６（Ｂ）の音響体３０−１では、中央近傍において散乱効果および吸音効果が生じ、図５（Ｃ）および図６（Ｃ）の音響体３０−１では、中板３２よりの位置において散乱効果および吸音効果が生じる、という具合である。
【００２４】
本実施形態による音響構造体１では、各音響体３０の各開口部２２が同一方向に連動する。具体的には、すべての開口部２２が同時に同一方向に同量だけ移動する。このため、開口部２２を移動すると、ある音響体３０における開口部２２は、別の音響体３０における移動前の開口部２２の位置に近づく。これは、所定周波数の音の散乱および吸音を行う音響体３０が、当該別の音響体３０から当該ある音響体３０にシフトするのと同様のことである。具体的には、例えば、図５（Ａ）の状態の音響体３０−４と同様の共鳴周波数を有する音響体は、図５（Ｂ）の状態では、音響体３０−１にシフトし、図５（Ｃ）の状態では、音響体３０−２にシフトする、という具合である。このような音響体３０のシフトは、各音響体３０において同様に発生する。このため、音響構造体１では、個々の音響体３０に着目した場合には、開口部２２の移動によって散乱および吸音する音の周波数が変化するが、音響構造体１全体（複数の音響体３０）に着目した場合には、所定周波数の音を散乱および吸音する各音響体３０の並び順が変化する。すなわち、音響構造体１では、開口部２２の移動の前後において、音響構造体１全体としての散乱および吸音する音の周波数分布をほとんど変化させずに、音響構造体１の開口側の面における所定周波数の音の散乱および吸音が行われる位置を変化させる。音響構造体１全体としての散乱および吸音する音の周波数分布が変わらないため、音響構造体１は、開口部２２を移動しても開口部２２の移動前と同様に、複数の共鳴周波数を低い共鳴周波数から高い共鳴周波数に亙ってバランス良く有する。
【００２５】
本実施形態の音響構造体１は、開口部２２が外側の空間に開口している正面側を音響空間（例えば会議室など）の中央に向けた状態で音響空間の内壁や天井に設置される。音響構造体１は、例えば、ローラ５４を上にした姿勢で音響空間の内壁に固定される。そして、音響構造体１のユーザは、モータ５２を駆動させるスイッチ（図示略）をオンしてローラ５４を回転させる。本実施形態では、ローラ５４は、一方向に所定の速さで連続的に回転する。例えば、ローラ５４は、音響構造体１の上方向にゆっくりと回転する。より具体的には、例えば、ローラ５４は、開口部２２が数十分〜１時間に１回繰り返される程度の速さで回転する。なお、ローラ５４の回転方向および回転速度はこの例に限られない。
【００２６】
以上のように、本実施形態による音響構造体１では、各音響体３０の各開口部２２を同一方向に連動させることで、開口部２２の移動の前後において、音響構造体１全体としての散乱および吸音する音の周波数分布をほとんど変化させずに、音響構造体１の開口面における所定周波数の音の散乱および吸音が行われる位置を変化させている。このため、音響空間の伝送特性が時間的に変化した別のある時刻（例えば音響構造体１の設置時からしばらくした後の時刻）においても、各開口部２２を同一方向に連動させることで、音響特性のピークやディップの原因となる音が到達する位置に開口部２２を移動させて音響特性を改善することができる。従って、音響構造体１では、各開口部２２における散乱効果および吸音効果の有効度合い（換言すると、音響特性のピークやディップの改善度合い）を時間平均すると、従来の音響構造体に比べ、それらの有効度合いを高くすることができる。さらに、音響構造体１では、各開口部２２における散乱効果および吸音効果の有効度合いを音響構造体１が有する複数の音響体３０で集合平均すると、従来の音響構造体に比べ、それらの有効度合いを高くすることができる。このように、音響構造体１は、音響空間の伝送特性が時間的に変化しても、従来の音響構造体に比べ、音響空間内の音響をより聴き心地の良い音響に調音することができる。
【００２７】
また、本実施形態による音響構造体１では、モータ５２により各開口部２２を連動させて、各開口部２２の位置を時々刻々と変化させている。このため、各開口部２２における散乱効果および吸音効果の有効度合いの時間平均および集合平均をより安定したものにすることができる。
【００２８】
なお、本実施形態では、４本の音響体３０−１〜３０−４を並べた構成を例示したが、音響体３０の本数は４本に限られない。例えば、音響体３０の本数をより多くすれば、散乱効果および吸音効果の対象となる周波数の数がより多くなり、音響空間の音響特性をより平坦化させることができるからである。
【００２９】
＜第２実施形態＞
図７は、この発明の第２実施形態による音響構造体１Ａの構成を示す斜視図である。また、図８は、図７のＣ−Ｃ´線に沿って音響構造体１Ａを切断して音響構造体１Ａの内部の構成を示す断面図である。音響構造体１Ａは、筐体１０に代えて筐体１０Ａを、帯部２０に代えて帯部２０Ａを、ローラ５４に代えてローラ５４Ａを、帯受け部５８に代えて帯受け部５８Ａを有する点において第１実施形態による音響構造体１と異なる。第１実施形態による音響構造体１では、帯部２０を音響体３０の長さ方向に移動することで開口部２２を音響体３０の長さ方向に移動していた。これに対し、本実施形態による音響構造体１Ａは、帯部２０Ａおよび開口部２２Ａを音響体３０Ａに直交する方向に移動するものである。
【００３０】
筐体１０Ａは、その内側の空間に帯部２０Ａ、ローラ５４Ａ、帯受け部５８Ａ、中板３１〜３４およびモータ５２を収容する部材である点および帯部２０Ａを筐体１０Ａの外部の空間に露出する開口部を有する点において筐体１０と同様である。筐体１０Ａは、正面側から筐体１０Ａを見たときの左側面１８および右側面１９に丸みを付与した点において筐体１０と異なる。
【００３１】
帯部２０Ａは、ローラ５４Ａおよび帯受け部５８Ａによってそれらの間に張設されている点および中板３１〜３４によって帯部２０Ａの内側の空間が区切られている点において帯部２０と同様である。このため、音響構造体１Ａにおいても、空洞４０−ｉ（ｉ＝１〜４）を内包する音響体３０Ａ（図７および図８では、音響体３０Ａ−ｉ（ｉ＝１〜４））が形成される。一方、帯部２０Ａ、ローラ５４Ａおよび帯受け部５８Ａは、ローラ５４Ａの円形断面の中心を通る軸部５６Ａが音響体３０Ａに平行になるように配置されている点において帯部２０、ローラ５４および帯受け部５８と異なる。
【００３２】
帯部２０Ａには、その表裏を貫通する開口部２２Ａ（図７および図８では、開口部２２Ａ−ｊ（ｊ＝ａ〜ｄ））が設けられている。開口部２２Ａは、１の音響体３０Ａに対して１の開口部２２Ａが備えられるように設けられている。また、ローラ５４Ａの軸部５６Ａは、モータ５２の回転子に連結されている。このため、モータ５２の動作に応じて、ローラ５４Ａが回転し、開口部２２Ａが移動する。
【００３３】
図９は、筐体１０Ａを透かして帯部２０Ａの構成を示す透視斜視図である。また、図１０は、帯部２０Ａの展開図である。図１０のＤ−Ｄ´線（一点鎖線）は、帯部２０Ａの長辺の垂直２等分線である。図１０に示すように、Ｄ−Ｄ´線の左半分の帯部２０１Ａにおける各開口部２２ＡとＤ−Ｄ´線の右半分の帯部２０２Ａにおける各開口部２２Ａとは、同じ位置に設けられている。すなわち、開口部２２Ａは、帯部２０Ａの長辺に沿った方向に同じパターンで繰り返されている。図９に示すように、左半分の帯部２０１Ａが正面側に位置した状態では、右半分の帯部２０２Ａが背面側に位置する。一方、帯部２０Ａが帯部２０Ａの周方向（長辺に沿った方向）に移動して右半分の帯部２０２Ａが正面側に位置した状態では、左半分の帯部２０１Ａが背面側に位置する。そして、図７に示すように、正面側に位置する開口部２２Ａが音響構造体１Ａの外部の空間に開口し、背面側に位置する開口部２２Ａが音響構造体１Ａの内部に隠れる。
【００３４】
本実施形態では、ローラ５４Ａは、音響体３０Ａに平行に配置されているため、帯部２０Ａおよび開口部２２Ａは、ローラ５４Ａの回転に応じて音響体３０Ａに直交する方向（換言すると、音響体３０Ａの並べられる方向）に回転移動する。その結果、各音響体３０Ａに対応する開口部２２Ａは、見かけ上、音響体３０Ａの長さ方向に移動する。
【００３５】
図１１は、ローラ５４Ａを回転させて開口部２２Ａを移動したときの帯部２０Ａの正面図である。図１１では、帯部２０Ａにおける各音響体３０Ａに対応する部分を破線により区分している。図１１（Ａ）は、図７と同じ状態を示している。図１１（Ｂ）は、図１１（Ａ）に示す状態の帯部２０Ａを音響体３０Ａの幅分だけ正面から向かって左方向に移動させた状態を示している。具体的には、図１１（Ａ）において音響体３０Ａ−２に対応していた開口部２２Ａ−ｂは、左方向に移動して、図１１（Ｂ）においては、音響体３０Ａ−１に対応している。同様に、図１１（Ａ）において音響体３０Ａ−３に対応していた開口部２２Ａ−ｃおよび音響体３０Ａ−４に対応していた開口部２２Ａ−ｄの各々は、左方向に移動して、図１１（Ｂ）においては、音響体３０Ａ−２および音響体３０Ａ−３にそれぞれ対応している。また、図１１（Ａ）において音響体３０Ａ−１に対応していた開口部２２Ａ−ａは、左方向に移動して正面から見えなくなるとともに、図１１（Ｂ）においては、背面に隠れていた開口部２２Ａ−ａが右側から正面に現れて音響体３０Ａ−４に対応している。図１１（Ｃ）は、図１１（Ｂ）に示す状態の帯部２０Ａを音響体３０の幅だけさらに左方向に移動させた状態を示している。具体的には、図１１（Ｂ）において音響体３０Ａ−２に対応していた開口部２２Ａ−ｃは、左方向に移動して、図１１（Ｃ）においては、音響体３０Ａ−１に対応している。同様に、図１１（Ｂ）において音響体３０Ａ−３に対応していた開口部２２Ａ−ｄおよび音響体３０Ａ−４に対応していた開口部２２Ａ−ａの各々は、左方向に移動して、図１１（Ｃ）においては、音響体３０Ａ−２および音響体３０Ａ−３にそれぞれ対応している。また、図１１（Ｂ）において音響体３０Ａ−１に対応していた開口部２２Ａ−ｂは、左方向に移動して正面から見えなくなるとともに、図１１（Ｃ）においては、背面に隠れていた開口部２２Ａ−ｂが右側から正面に現れて音響体３０Ａ−４に対応している。図１１（Ｄ）は、図１１（Ｃ）に示す状態の帯部２０Ａを音響体３０Ａの幅だけさらに左方向に移動させた状態を示している。具体的には、図１１（Ｃ）において音響体３０Ａ−２に対応していた開口部２２Ａ−ｄは、左方向に移動して、図１１（Ｄ）においては、音響体３０Ａ−１に対応している。同様に、図１１（Ｃ）において音響体３０Ａ−３に対応していた開口部２２Ａ−ａおよび音響体３０Ａ−４に対応していた開口部２２Ａ−ｂの各々は、左方向に移動して、図１１（Ｄ）においては、音響体３０Ａ−２および音響体３０Ａ−３にそれぞれ対応している。また、図１１（Ｃ）において音響体３０Ａ−１に対応していた開口部２２Ａ−ｃは、左方向に移動して正面から見えなくなるとともに、図１１（Ｄ）においては、背面に隠れていた開口部２２Ａ−ｃが右側から正面に現れて音響体３０Ａ−４に対応している。帯部２０Ａを図１１（Ｄ）の状態からさらに左方向に移動させると、図１１（Ｄ）において音響体３０Ａ−１に対応していた開口部２２Ａ−ｄは、左方向に移動して正面から見えなくなるとともに背面に隠れていた開口部２２Ａ−ｄが右側から正面に現れて音響体３０Ａ−４に対応し、各開口部２２Ａは、図１１（Ａ）に示す状態に戻る。
【００３６】
図１２は、帯部２０Ａが図１１の各状態のときの音響体３０Ａ−１の構成を示す縦断面図である。図１２（Ａ）は、図１１（Ａ）のときを示しており、図１２（Ｂ）は、図１１（Ｂ）のときを示しており、図１２（Ｃ）は、図１１（Ｃ）のときを示しており、図１２（Ｄ）は、図１１（Ｄ）のときを示している。図１２（Ａ）に示す音響体３０Ａ−１には、管長Ｌ１Ａｕ−ａを有する上側共鳴管と管長Ｌ１Ａｄ−ａを有する下側共鳴管とが形成される。図１２（Ｂ）に示す音響体３０Ａ−１には、管長Ｌ１Ａｕ−ｂを有する上側共鳴管と管長Ｌ１Ａｄ−ｂを有する下側共鳴管とが形成される。図１２（Ｃ）に示す音響体３０−１には、管長Ｌ１Ａｕ−ｃを有する上側共鳴管と管長Ｌ１Ａｄ−ｃを有する下側共鳴管とが形成される。図１２（Ｄ）に示す音響体３０Ａ−１には、管長Ｌ１Ａｕ−ｄを有する上側共鳴管と管長Ｌ１Ａｄ−ｄを有する下側共鳴管とが形成される。このように、開口部２２Ａを音響体３０Ａに直交する方向に移動する態様においても、音響体３０Ａ−１の有する共鳴管の管長が変化する。従って、本実施形態においても、音響体３０Ａ−１は、開口部２２Ａの位置に応じた共鳴周波数において散乱効果および吸音効果を発揮する。音響体３０Ａ−１について説明したが、他の音響体３０Ａ−２〜３０Ａ−４についても同様である。
【００３７】
本実施形態による音響構造体１Ａにおいても、第１実施形態と同様に、すべての開口部２２Ａが同時に同一方向に同量だけ移動する。このため、音響構造体１Ａにおいても、第１実施形態と同様に、所定周波数の音の散乱および吸音を行う音響体３０が、当該別の音響体３０から当該ある音響体３０にシフトする。具体的には、例えば、図１１（Ａ）の状態の音響体３０Ａ−１と同様の共鳴周波数を有する音響体は、図１１（Ｂ）の状態では、音響体３０Ａ−４にシフトし、図１１（Ｃ）の状態では、音響体３０Ａ−３にシフトし、図１１（Ｄ）の状態では、音響体３０Ａ−２にシフトする、という具合である。このため、音響構造体１Ａにおいても、第１実施形態と同様に、個々の音響体３０に着目した場合には、開口部２２Ａの移動によって散乱および吸音する音の周波数が変化するが、音響構造体１Ａ全体（複数の音響体３０Ａ）に着目した場合には、所定周波数の音を散乱および吸音する各音響体３０Ａの配列が変化する。
【００３８】
このように、本実施形態による音響構造体１Ａでは、第１実施形態と同様に、開口部２２Ａの移動の前後において、音響構造体１Ａ全体としての散乱および吸音する音の周波数分布をほとんど変化させずに、音響構造体１Ａの開口面における所定周波数の音の散乱および吸音が行われる位置を変化させる。このため、本実施形態の音響構造体１Ａにおいても、第１実施形態と同様の効果を奏する。
【００３９】
＜第３実施形態＞
図１３は、この発明の第３実施形態による音響構造体１Ｂの構成を示す斜視図である。図１３に示すように、音響構造体１Ｂは、複数（図１３では５個）の円筒状の音響体３０Ｂを並列に並べて結合し、パネル状にしたものである。
【００４０】
音響体３０Ｂは、外側円筒体３５Ｂと内側円筒体３６Ｂとから構成される。外側円筒体３５Ｂは、中空の円筒状の部材である。内側円筒体３６Ｂは、外側円筒体３５Ｂの内径よりも僅かに小さな外径を有する円筒状の部材である。内側円筒体３６Ｂは、内側円筒体３６Ｂの軸と外側円筒体３５Ｂの軸とが重なる姿勢で外側円筒体３５Ｂ内に挿入されている。なお、本実施形態において、軸とは、中心となる線のことを言い、軸に沿った方向とは、中心となる線の延長方向であり、同一形状の断面の連続する方向のことを言う。また、外側円筒体３６Ｂと内側円筒体３５Ｂとは接触している。
【００４１】
図１４（Ａ）は、外側円筒体３５Ｂの展開図であり、図１４（Ｂ）は、内側円筒体３６Ｂの展開図である。図１４（Ｂ）に示すように、内側円筒体３６Ｂは、側面板３６１Ｂ、底面板３６２Ｂおよび底面板３６３Ｂを有する。側面板３６１Ｂは、円筒状の部材であり、展開したときに長方形になる部材である。側面板３６１Ｂの一方の短辺、すなわち、円筒体３６Ｂの軸に沿った方向の一端には、円形の底面板３６２Ｂが固定されている。側面板３６１Ｂの他方の短辺、すなわち、円筒体３６Ｂの軸に沿った方向の他端には、円形の底面３６３Ｂが固定されている。内側円筒体３６Ｂは、側面板３６１Ｂ、底面板３６２Ｂおよび底面板３６３Ｂによって囲まれた空洞を内包する。
【００４２】
側面板３６１Ｂには、その表裏を貫通する開口部３６５Ｂが設けられている。開口部３６５Ｂは、軸に沿った方向に所定の幅を有する帯状の切り込みであり、内側円筒体３６Ｂの円周に亙って設けられている。また、開口部３６５Ｂは、内側円筒体３６Ｂの軸に沿った方向の所定の位置を基準位置として、内側円筒体３６Ｂの軸に沿った方向を振幅方向とする三角波を描くように開口している。
【００４３】
外側円筒体３５Ｂには、外側円筒体３５Ｂの軸に沿った方向の一端から他端に向かう所定幅のスリット３５２Ｂが設けられている。
【００４４】
本実施形態による音響体３０Ｂでは、外側円筒体３５Ｂのスリット３５２Ｂの一部分と内側円筒体３６Ｂの開口部３６５Ｂの一部分とが重複して開口部２２Ｂを形成する。この開口部２２Ｂを介して音響体３０Ｂの内外の空間が連通する。このため、この開口部２２Ｂと底面３６２Ｂとの間に上側共鳴管が形成され、この開口部２２Ｂと底面３６３Ｂとの間に下側共鳴管が形成される。
【００４５】
各音響体３０Ｂは、外側円筒体３５Ｂのスリット３５２Ｂが同一方向に開口するように並べられている。このため、各音響体３０Ｂの各開口部２２Ｂは、同一方向に開口している。また、各内側円筒体３６Ｂの開口部３６５Ｂは、内側円筒体３６Ｂの軸に沿った方向の基準位置が各内側円筒体３６Ｂで異なるように設けられている。すなわち、開口部３６５Ｂは、重複部位である開口部２２Ｂの位置が音響体３０Ｂ毎に異なるように設けられている。換言すると、開口部３６５Ｂは、開口部３６５Ｂの基準位置に応じた共鳴周波数が音響体３０Ｂ毎に異なるように設けられている。
【００４６】
音響体３０Ｂの一方の端には、モータ５２Ｂが設けられている。より詳細には、内側円筒体３６Ｂの底面３６２Ｂに、モータ５２Ｂの回転子が連結されている。モータ５２Ｂは、制御装置６０による制御に従って回転子を回転させることで内側円筒体３６Ｂを外側円筒体３５Ｂに対して相対的に回転させる。制御装置６０は、例えば、モータがステッピングモータの場合、サーボアンプやシーケンサを含む装置である。制御装置６０は、各モータ５２Ｂの回転速度を同期させて各音響体３０Ｂの内側円筒体３６Ｂを連動させる。内側円筒体３６Ｂは、例えば、第１実施形態のローラ５４と同様に、一方向に所定の速さで連続的に回転する。
【００４７】
本実施形態による音響体３０Ｂでは、内側円筒体３６Ｂが外側円筒体３５Ｂに対して回転すると、開口部２２Ｂが音響体３０Ｂの長さ方向に往復移動する。より詳細に説明する。図１５は、開口部２２Ｂの形成される位置を内側円筒体３６Ｂの展開図上に示した図である。内側円筒体３６Ｂが外側円筒体３５Ｂに対して時計回りに回転すると、開口部２２Ｂの位置は、図１５（Ａ）〜図１５（Ｆ）の順に変化する。図１５（Ａ）〜図１５（Ｃ）に示すように、内側円筒体３６Ｂを回転すると、開口部２２Ｂは、所定の基準位置に対して底面板３６３Ｂ寄りの位置から当該所定の基準位置近傍に移動し、その後、当該所定の基準位置近傍から当該所定の基準位置に対して底面板３６２Ｂ寄りの位置に移動する。さらに内側円筒体３６Ｂを回転すると、図１５（Ｄ）〜図１５（Ｆ）に示すように、開口部２２Ｂは、当該所定の基準位置に対して底面板３６２Ｂ寄りの位置から当該所定の基準位置近傍に移動し、その後、当該所定の基準位置近傍から当該所定の基準位置に対して底面板３６３Ｂ寄りの位置に移動する。これにより、音響体３０Ｂに含まれる共鳴管は、所定の管長を基準にその管長よりも長くなったり短くなったりを繰り返す。その結果、音響体３０Ｂの共鳴周波数が、当該所定の基準位置における共鳴周波数を基準にその周波数よりも高くなったり低くなったりを繰り返す。
【００４８】
このように、本実施形態による音響構造体１Ｂでは、開口部２２Ｂが所定の基準位置を挟んで往復移動するため、散乱効果および吸音効果の生じる位置および周波数が所定の基準を挟んで繰り返し変化する。このため、音響空間の伝送特性の時間変化量が少ないような場合に、音響特性のピークやディップの原因となる音が到達する音響構造体１Ｂにおける位置やそのような音の周波数から、開口部２２Ｂの位置やその位置に応じた周波数が大きくずれないように開口部２２Ｂを移動させて音響特性を改善することができる。これにより、散乱効果および吸音効果の有効度合いの時間平均をより高くすることができる。従って、本実施形態による音響構造体１Ｂでは、音響空間の伝送特性が時間的に変化しても、従来の音響構造体に比べ、音響空間内の音響をより聴き心地の良い音響に調音することができる。
【００４９】
また、本実施形態において、開口部２２Ｂの往復移動の移動範囲を調整しても良い。これは、例えば、内側円筒体３６Ｂの開口部３６５Ｂの形状を変えることによって実現することができる。具体的には、開口部３６５Ｂにおける内側円筒体３６Ｂの円周に対する軸に沿った方向の傾斜具合（換言すると、開口部３６５Ｂの描く三角波の振幅）を変えるようにすれば良い。開口部２２Ｂの往復移動の移動範囲を調整することで、共鳴周波数の変化する範囲を調整することができる。従って、このようにすれば、音響空間内の音響をより聴き心地の良い音響に調音することができる。
【００５０】
＜第４実施形態＞
図１６は、この発明の第４実施形態による音響システム１００の構成を示す図である。
本実施形態の音響システム１００は、２個の音響構造体１Ｃ１および１Ｃ２と制御装置６０Ｃとを有している。
【００５１】
音響構造体１Ｃ１および１Ｃ２は、例えば、第１実施形態の音響構造体１と同様のものである。音響構造体１Ｃ１および１Ｃ２は、開口部２２Ｃを移動させるモータを含んでいる。音響構造体１Ｃ１および１Ｃ２は、同一の音響空間に設置される。例えば、音響構造体１Ｃ１および１Ｃ２は、開口部２２Ｃを音響空間の中央に向けて、互いに対向するように各壁面に設置される。
【００５２】
制御装置６０Ｃは、音響構造体１Ｃ１および１Ｃ２の各々の開口部２２Ｃの移動を制御する装置である。具体的には、制御装置６０Ｃは、音響構造体１Ｃ１および１Ｃ２の各々のモータを制御する装置である。例えば、音響構造体１Ｃ１および１Ｃ２のモータがステッピングモータの場合、制御装置６０Ｃは、サーボアンプやシーケンサを含む装置である。制御装置６０Ｃの１の出力端子は、音響構造体１Ｃ１のモータに接続されており、制御装置６０Ｃの別の出力端子は、音響構造体１Ｃ２のモータに接続されている。制御装置６０Ｃは、音響構造体１Ｃ１の開口部２２Ｃと音響構造体１Ｃ２の開口部２２Ｃとを連動させる。より詳細には、制御装置６０Ｃは、音響構造体１Ｃ１の開口部２２Ｃの移動と音響構造体１Ｃ２の開口部２２Ｃの移動とが同期するように制御する。具体的には、制御装置６０Ｃは、音響構造体１Ｃ１のモータと音響構造体１Ｃ２のモータとが同一方向に同一回転速度で動作するように制御する。
【００５３】
このように、本実施形態による音響システム１００は、音響空間に複数の音響構造体１Ｃ１および１Ｃ２を設置し、各音響構造体１Ｃ１および１Ｃ２の各々の開口部２２Ｃを連動するようにしている。このため、各音響構造体１Ｃ１および１Ｃ２の各開口部２２Ｃを連動させることで、音響特性のピークやディップの原因となる音が到達する各音響構造体１Ｃ１および１Ｃ２の各々の位置にそれら各音響構造体１Ｃ１および１Ｃ２の開口部２２Ｃを移動させて音響特性を改善することができる。これにより、音響システム１００では、各音響構造体１Ｃ１および１Ｃ２の各開口部２２Ｃにおける散乱効果および吸音効果の有効度合いを音響システム１００全体の音響構造体１Ｃ１および１Ｃ２を対象に時間平均および集合平均すると、従来の音響構造体を設置した態様に比べ、それらの有効度合いをより高くすることができる。従って、本実施形態による音響システム１００を用いれば、音響空間の伝送特性が時間的に変化しても、従来の音響構造体を用いた場合に比べ、音響空間内の音響をより聴き心地の良い音響に調音することができる。
【００５４】
なお、本実施形態による音響構造体１Ｃ１および１Ｃ２は、第１実施形態の音響構造体１と同様のものに限られず、第２実施形態の音響構造体１Ａと同様のものであっても良いし、第３実施形態の音響構造体１Ｂと同様のものであっても良い。
【００５５】
＜他の実施形態＞
以上、この発明の第１〜第４実施形態について説明したが、この発明には他にも実施形態が考えられる。例えば次の通りである。
【００５６】
（１）上記第１実施形態の音響構造体１では、開口部２２が音響体３０の長さ方向の一方向に連続的に移動していた。しかし、開口部２２を音響体３０の長さ方向の一方向に連続的に移動させる態様は、上記第１実施形態の態様に限られない。例えば、外側円筒体内に内側円筒体を収容する構成の音響体においても、開口部を音響体の長さ方向の一方向に連続的に移動させることができる。図１７は、この変形例における音響構造体１Ｄの内側円筒体３６Ｄの構成例を示す展開図である。図１７に示すように、内側円筒体３６Ｄの側面板３６１Ｄには、展開したときの対角線上に開口部３６５Ｄが設けられている。この内側円筒体３６Ｄを時計回りに回転すると、音響体の開口部は、底面板３６３Ｄ近傍から底面板３６２Ｄ近傍まで一方向に連続的に移動する。すなわち、この態様の音響体の開口部は、第１実施形態による音響構造体１の開口部２２と同様に移動する。従って、この変形例では、第１実施形態と同様の効果を奏する。
【００５７】
（２）上記第２実施形態の音響構造体１Ａでは、開口部２２Ａが音響体３０Ａの長さ方向に不連続に移動していた。開口部が音響体の長さ方向に不連続に移動する態様は、上記第２実施形態の態様に限られない。例えば、外側円筒体内に内側円筒体を収容する構成の音響体においても、開口部を音響体の長さ方向に不連続に移動させることができる。図１８は、この変形例における音響構造体１Ｅの内側円筒体３６Ｅの構成例を示す展開図である。図１８に示すように、内側円筒体３６Ｅの側面板３６１Ｅには、開口面が四角形の複数の開口部３６５Ｅ（図１８では開口部３６５Ｅ−１〜３６５Ｅ−３）が設けられている。内側円筒体３６Ｅの円周方向に隣り合う開口部３６５Ｅの間には、内側円筒体３６Ｅの軸に沿った方向の間隔が空いている。この内側円筒体３６Ｅを時計回りに回転すると、音響体の開口部は、開口部３６５Ｅ−１の位置から開口部３６５Ｅ−２の位置に飛び移り、その後、開口部３６５Ｅ−２の位置から開口部３６５Ｅ−３の位置に飛び移る。すなわち、この態様の音響体の開口部は、第２実施形態による音響構造体１Ａと同様に移動する。従って、この変形例では、第２実施形態と同様の効果を奏する。
【００５８】
（３）音響体に開口部を設ける態様と開口部を設けない態様とを切り替え可能にしても良い。図１９は、この変形例における音響構造体１Ｆの内側円筒体３６Ｆの構成例を示す展開図である。図１９に示すように、内側円筒体３６Ｆの側面板３６１Ｆには、その左半分の領域内に開口部３６５Ｆが設けられている。そして、側面板３６１Ｆの右半分の領域内には、開口部が設けられていない。この内側円筒体３６Ｆを時計回りに回転すると、音響体の開口部が生じたり生じなくなったりする。例えば、音響構造体の各々の内側円筒体を、１の音響体において開口部をなくすように回転し、他の音響体において同様の開口部が生じるように回転すれば、共鳴周波数の生じる位置を変化させることができる。このため、この変形例においても、第１および第２実施形態と同様の効果を奏する。
【００５９】
（４）第４実施形態による音響システム１００は、２個の音響構造体１Ｃ１および１Ｃ２を有していた。しかし、音響システム１００における音響構造体の個数は２個に限られない。すなわち、音響システムは、２よりも多い個数の音響構造体を有していても良い。図２０は、この変形例における音響システム１００Ｇの構成を示す図である。図２０の例では、音響システム１００Ｇは、５個の音響構造体１Ｇ１〜１Ｇ５を有している。これらの音響構造体１Ｇ１〜１Ｇ５の各々の開口部は、制御装置６０Ｇによる制御に従って連動する。このように、より多くの開口部を連動させることで、音響空間内の音響をさらに聴き心地の良い音響に調音することができる。
【００６０】
（５）上記各実施形態による音響構造体１〜１Ｂ、１Ｃ１および１Ｃ２では、各開口部２２〜２２Ｃを同一方向に連動させるモータ５２および５２Ｂを有していた。しかし、各開口部を同一方向に連動させる手段は、モータに限られない。例えば、第１実施形態の音響構造体１におけるモータ５２に代えてローラ５４の軸部５６に連結される風車を設けても良い。この態様では、音響構造体の設置された音響空間の空調などによって風車が回転して各開口部が移動する。この態様では、一定の速度で開口部が移動しない虞はあるが、各開口部の位置が時間的に変化する点においてモータを有する音響構造体と同様である。このため、この態様においても、第１実施形態と同様の効果を奏する。また、他の例として、手動で各開口部を同一方向に連動させても良い。この態様では、各開口部を常に移動させる点においては期待できないが、ユーザが開口部を定期的に移動させれば、第１実施形態と同様の効果を得ることができる。
【００６１】
（６）上記第１〜第３実施形態による音響構造体１〜１Ｂでは、開口部２２〜２２Ｂを同一方向に連動可能にしていた。しかし、開口部を異なる方向に連動可能にしても良い。例えば、音響構造体の左半分の各開口部は音響体の長さ方向に移動するとともに、音響構造体の右半分の各開口部は音響体に垂直な方向に移動する、という具合である。これは、第１実施形態の音響構造体１と第２実施形態の音響構造体１Ａとを組み合わせることにより実現することができる。少なくとも、各開口部が連動することにより、音響構造体全体の周波数分布をほとんど変化させることなく、音響構造体の開口面における所定周波数の音の散乱および吸音が行われる位置を変化させることができる。
【００６２】
（７）上記第３実施形態の内側円筒体３６Ｂは、展開したときに三角波を描く直線的に傾斜する開口部３６５Ｂを有していた。しかし、開口部３６５Ｂは、直線的に傾斜する態様に限られない。開口部３６５Ｂとスリット３５２Ｂとの重複により形成される開口部２２Ｂが音響体３０Ｂの長さ方向に往復移動可能であれば良いからである。例えば、開口部３６５Ｂは、内側円筒体３６Ｂを展開したときに、内側円筒体３６Ｂの軸に沿った方向を振幅方向とする正弦波形を描く形状であっても良い。
【００６３】
（８）開口部を音響体の長さ方向に往復移動させる態様は、上記第３実施形態に限られない。例えば、第１実施形態におけるモータ５２の回転を調整することによって開口部２２を音響体３０の長さ方向に往復させても良い。具体的には、正回転と逆回転とを所定の周期で交互に繰り返すようにモータ５２を動作させることによって実現することができる。
【００６４】
（９）上記各実施形態のモータ５２および５２Ｂは、所定の速さで連続的に回転していた。しかし、モータの回転速度を変化させても良いし、モータを断続的に回転させても良い。
【００６５】
（１０）上記第３実施形態による音響構造体１Ｂの制御装置６０は、各モータ５２Ｂを同期して動作させていた。しかし、制御装置６０は、各モータ５２Ｂを独立に動作させるものであっても良い。
【符号の説明】
【００６６】
１，１Ａ，１Ｂ，１Ｃ１，１Ｃ２，１Ｄ，１Ｅ，１Ｆ，１Ｇ１，１Ｇ２，１Ｇ３，１Ｇ４，１Ｇ５…音響構造体、１０，１０Ａ…筐体、１８…左側面、１９…右側面、２０，２０Ａ…帯部、２２，２２Ａ，２２Ｂ，２２Ｃ，３６５Ｂ，３６５Ｄ，３６５Ｅ，３６５Ｆ…開口部、３０，３０Ａ，３０Ｂ…音響体、３１，３２，３３，３４…中板、３５Ｂ…外側円筒体、３６Ｂ，３６Ｄ，３６Ｅ，３６Ｆ…内側円筒体、４０…空洞、５２，５２Ｂ…モータ、５４，５４Ａ…ローラ、５６，５６Ａ…軸部、５８，５８Ａ…帯受け部、６０，６０Ｃ，６０Ｇ…制御装置、１００，１００Ｇ…音響システム、３５２Ｂ…スリット、３６１Ｂ，３６１Ｄ，３６１Ｅ，３６１Ｆ…側面板、３６２Ｂ，３６３Ｂ，３６２Ｄ，３６３Ｄ…底面板。
【図１】
2016071220.tif 000003
【図２】
2016071220.tif 000004
【図３】
2016071220.tif 000005
【図４】
2016071220.tif 000006
【図５】
2016071220.tif 000007
【図６】
2016071220.tif 000008
【図７】
2016071220.tif 000009
【図８】
2016071220.tif 000010
【図９】
2016071220.tif 000011
【図１０】
2016071220.tif 000012
【図１１】
2016071220.tif 000013
【図１２】
2016071220.tif 000014
【図１３】
2016071220.tif 000015
【図１４】
2016071220.tif 000016
【図１５】
2016071220.tif 000017
【図１６】
2016071220.tif 000018
【図１７】
2016071220.tif 000019
【図１８】
2016071220.tif 000020
【図１９】
2016071220.tif 000021
【図２０】
2016071220.tif 000022